(57)【要約】【課題】扉と扉との間の隙間からの光の漏れを抑制することのできる間接照明付き収納装置を得る。【解決手段】間接照明付き収納装置１０は、壁面１２に取り付けられ、天板１４、底板１６、及び側板１８を備えた棚本体２１と、棚本体２１の開口部を閉塞可能とし、上端部が天板１４の上面よりも上方に突出し、横方向に並んで配置された複数の横開き扉３４〜４２と、棚本体２１の上部に設けられ、棚本体２１の幅方向に沿って配置された上部照明装置４４と、天板１４の上面の扉側に設けられ、天板１４の幅方向に沿って延び、上部照明装置１４から出射した光が、扉と扉の間の隙間から棚本体２１の開口部側に漏れないように遮光する上部遮光部材４８とを有する。【選択図】図１
2018082976.tif 000002
【特許請求の範囲】
【請求項１】
天板、底板、側板、及び裏板を備えて裏板側とは反対側に開口部を有する箱状の棚本体と、
前記棚本体の開口部を閉塞可能とし、上端部が前記天板の上面よりも上方に突出し、横方向に並んで配置された複数の扉と、
前記棚本体の上部に設けられ、前記棚本体の幅方向に沿って配置された上部照明装置と、
前記天板の前記上面の前記扉側に設けられ、前記天板の幅方向に沿って延び、前記上部照明装置から出射した光が、前記扉と前記扉との間の隙間から前記棚本体の前記開口部側に漏れないように遮光する上部遮光部材と、
を有する間接照明付き収納装置。
【請求項２】
天板、底板、側板、及び裏板を備えて裏板側とは反対側に開口部を有する箱状の棚本体と、
前記棚本体の開口部を閉塞可能とし、下端部が前記底板の下面よりも下方に突出し、横方向に並んで配置された複数の扉と、
前記底板の下部の壁面側に設けられ、前記棚本体の幅方向に沿って配置された下部照明装置と、
前記底板の前記下面の前記扉側に設けられ、前記底板の幅方向に沿って延び、前記下部照明装置から出射した光が、前記扉と前記扉との間の隙間から前記棚本体の前記開口部側に漏れないように遮光する下部遮光部材と、
を有する間接照明付き収納装置。
【請求項３】
壁面に取り付けられ、天板、底板、及び側板を備えた棚本体と、
前記棚本体の開口部を閉塞可能とし、上端部が前記天板の上面よりも上方に突出し、横方向に並んで配置された複数の扉と、
前記棚本体の上部に設けられ、前記棚本体の幅方向に沿って配置された上部照明装置と、
前記天板の前記上面の前記扉側に設けられ、前記天板の幅方向に沿って延び、前記上部照明装置から出射した光が、前記扉と前記扉との間の隙間から前記棚本体の前記開口部側に漏れないように遮光する上部遮光部材と、
を有する間接照明装置。
【請求項４】
壁面に取り付けられ、天板、底板、及び側板を備えた棚本体と、
前記棚本体の開口部を閉塞可能とし、下端部が前記底板の下面よりも下方に突出し、横方向に並んで配置された複数の扉と、
前記底板の下部の前記壁面側に設けられ、前記棚本体の幅方向に沿って配置された下部照明装置と、
前記底板の前記下面の前記扉側に設けられ、前記底板の幅方向に沿って延び、前記下部照明装置から出射した光が、前記扉と前記扉との間の隙間から前記棚本体の前記開口部側に漏れないように遮光する下部遮光部材と、
を有する間接照明装置。
【発明の詳細な説明】
【技術分野】
【０００１】
本発明は、間接照明付き収納装置、及び間接照明装置に関する。
【背景技術】
【０００２】
収納装置に間接照明を取り付けた構成が知られている（例えば、特許文献１参照）。また、住宅等の建物における照明方式として、天井や壁などに照明を組み込んだ間接照明がある。
【先行技術文献】
【特許文献】
【０００３】
【特許文献１】特開２００２−３４６７８号公報
【発明の概要】
【発明が解決しようとする課題】
【０００４】
ところで、間接照明は、照明器具を収納して隠すために下地を作る工事が必要である。
収納装置に間接照明を設けた場合、例えば、複数の横開き扉が並んで配置され、扉の裏面側に照明が配置されていると、扉と扉との間の隙間から、照明の光が漏れて見えてしまうため、照明を点灯したときの見栄え、言い換えれば、意匠性が損なわれる問題がある。
【０００５】
本発明は上記問題を考慮し、扉と扉との間の隙間からの光の漏れを抑制し、意匠性が損なわれないようにすることができる間接照明付き収納装置、及び間接照明装置を提供することが目的である。
【課題を解決するための手段】
【０００６】
請求項１に記載の間接照明付き収納装置は、天板、底板、側板、及び裏板を備えて裏板側とは反対側に開口部を有する箱状の棚本体と、前記棚本体の開口部を閉塞可能とし、上端部が前記天板の上面よりも上方に突出し、横方向に並んで配置された複数の扉と、前記棚本体の上部に設けられ、前記棚本体の幅方向に沿って配置された上部照明装置と、前記天板の前記上面の前記扉側に設けられ、前記天板の幅方向に沿って延び、前記上部照明装置から出射した光が、前記扉と前記扉との間の隙間から前記棚本体の前記開口部側に漏れないように遮光する上部遮光部材と、を有する。
【０００７】
請求項１に記載の間接照明付き収納装置は、上部照明装置から出射した光で壁面や天井等を照らすことができる。
棚本体には、開口部を塞ぐように複数の扉が設けられている。扉を閉めていても、扉と扉との間には、扉同士が擦れないように、隙間が設けられているため、仮に、上部遮光部材が設けられていない場合、上記隙間から上部照明装置から出射した光が棚前面側へ漏れ出でてしまう場合があるがある。しかしながら、請求項１に記載の間接照明付き収納装置では、上部遮光部材が、扉の照明装置側に配置されているので、上部照明装置から出射した光、例えば、上部照明装置からの直接光、及び上部照明装置から出射して壁や天井等に反射した光が該隙間を介して棚前面側へ漏れ出ることが抑制される。
【０００８】
さらに、上部遮光部材が、上部照明装置の棚本体の扉側に配置されているので、扉を開けた場合においても、棚前面側から上部照明装置が直接見えてしまうことを抑制することが可能となる。
【０００９】
また、請求項１の間接照明付き収納装置では、上部照明装置の下方に天板が配置され、棚前面側に上部遮光部材が配置されているため、正面から見たり、下から見上げた際に上部照明装置を見えないように隠すことができる。したがって、上部照明装置を隠すための下地処理を行う必要がなく、工事を簡略化することができる。また、間接照明付き収納装置を壁面に取り付けるだけで、既存の部屋に簡単に間接照明を設置することができる。
【００１０】
請求項２に記載の間接照明付き収納装置は、天板、底板、側板、及び裏板を備えて裏板側とは反対側に開口部を有する箱状の棚本体と、前記棚本体の開口部を閉塞可能とし、下端部が前記底板の下面よりも下方に突出し、横方向に並んで配置された複数の扉と、前記底板の下部の前記壁面側に設けられ、前記棚本体の幅方向に沿って配置された下部照明装置と、前記底板の前記下面の前記扉側に設けられ、前記底板の幅方向に沿って延び、前記下部照明装置から出射した光が、前記扉と前記扉との間の隙間から前記棚本体の前記開口部側に漏れないように遮光する下部遮光部材と、を有する。
【００１１】
請求項２に記載の間接照明装置は、下部照明装置から出射した光で壁面や床面等を照らすことができる。
棚本体には、開口部を塞ぐように複数の扉が設けられている。扉を閉めていても、扉と扉との間には、扉同士が擦れないように、隙間が設けられているため、仮に、下部遮光部材が設けられていない場合、上記隙間から下部照明装置から出射した光が棚前面側へ漏れ出でてしまう場合がある。しかしながら、請求項２に記載の間接照明装置では、遮光部材が、扉の照明装置側に配置されているので、下部照明装置から出射した光、例えば、下部照明装置からの直接光、及び下部照明装置から出射して壁や床面等に反射した光が該隙間を介して棚前面側へ漏れ出ることが抑制される。
が棚前面側へ漏れ出ることが抑制される。
【００１２】
さらに、下部遮光部材が、下部照明装置の棚本体の扉側に配置されているので、扉を開けた場合においても、棚前面側から下部照明装置が直接見えてしまうことを抑制することが可能となる。
【００１３】
また、請求項２に記載の間接照明付き収納装置では、下部照明装置の上方に底板が配置され、棚前面側に下部遮光部材が配置されているため、正面から見たり、見下ろした際に上部照明装置を見えないように隠すことができる。したがって、下部照明装置を隠すための下地処理を行う必要がなく、工事を簡略化することができる。また、間接照明付き収納装置を壁面に取り付けるだけで、既存の部屋に簡単に間接照明を設置することができる。
【００１４】
請求項３に記載の間接照明装置は、壁面に取り付けられ、天板、底板、及び側板を備えた棚本体と、前記棚本体の開口部を閉塞可能とし、上端部が前記天板の上面よりも上方に突出し、横方向に並んで配置された複数の扉と、前記棚本体の上部に設けられ、前記棚本体の幅方向に沿って配置された上部照明装置と、前記天板の前記上面の前記扉側に設けられ、前記天板の幅方向に沿って延び、前記上部照明装置から出射した光が、前記扉と前記扉との間の隙間から前記棚本体の前記開口部側に漏れないように遮光する上部遮光部材と、を有する。
【００１５】
請求項３に記載の間接照明装置は、上部照明装置から出射した光で壁面や天井等を照らすことができる。
棚本体には、開口部を塞ぐように複数の扉が設けられている。扉を閉めていても、扉と扉との間には、扉同士が擦れないように、隙間が設けられているため、仮に、上部遮光部材が設けられていない場合、上記隙間から上部照明装置から出射した光が棚前面側へ漏れ出でてしまう場合がある。しかしながら、請求項３に記載の間接照明装置では、遮光部材が、扉の照明装置側に配置されているので、上部照明装置から出射した光、例えば、上部照明装置からの直接光、及び上部照明装置から出射して壁や天井等に反射した光が該隙間を介して棚前面側へ漏れ出ることが抑制される。
【００１６】
さらに、上部遮光部材が、上部照明装置の棚本体の扉側に配置されているので、扉を開けた場合においても、棚前面側から上部照明装置が直接見えてしまうことを抑制することが可能となる。
【００１７】
また、請求項３に記載の間接照明装置では、上部照明装置の下方に天板が配置され、棚前面側に上部遮光部材が配置されているため、正面から見たり、下から見上げた際に上部照明装置を見えないように隠すことができる。したがって、上部照明装置を隠すための下地処理を行う必要がなく、工事を簡略化することができる。また、棚本体を壁面に取り付けるだけで、既存の部屋に簡単に間接照明を設置することができる。
【００１８】
請求項４に記載の間接照明装置は、壁面に取り付けられ、天板、底板、及び側板を備えた棚本体と、前記棚本体の開口部を閉塞可能とし、下端部が前記底板の下面よりも下方に突出し、横方向に並んで配置された複数の扉と、前記底板の下部の前記壁面側に設けられ、前記棚本体の幅方向に沿って配置された下部照明装置と、前記底板の前記下面の前記扉側に設けられ、前記底板の幅方向に沿って延び、前記下部照明装置から出射した光が、前記扉と前記扉との間の隙間から前記棚本体の前記開口部側に漏れないように遮光する下部遮光部材と、を有する。
【００１９】
請求項４に記載の間接照明装置は、下部照明装置から出射した光で壁面や床面等を照らすことができる。
棚本体には、開口部を塞ぐように複数の扉が設けられている。扉を閉めていても、扉と扉との間には、扉同士が擦れないように、隙間が設けられているため、仮に、下部遮光部材が設けられていない場合、上記隙間から下部照明装置から出射した光が棚前面側へ漏れ出でてしまう場合がある。しかしながら、請求項４に記載の間接照明装置では、遮光部材が、扉の照明装置側に配置されているので、下部照明装置から出射した光、例えば、下部照明装置からの直接光、及び下部照明装置から出射して壁や床面等に反射した光が該隙間を介して棚前面側へ漏れ出ることが抑制される。
【００２０】
さらに、下部遮光部材が、下部照明装置の棚本体の扉側に配置されているので、扉を開けた場合においても、棚前面側から下部照明装置が直接見えてしまうことを抑制することが可能となる。
【００２１】
また、請求項４に記載の間接照明装置では、下部照明装置の上方に底板が配置され、棚前面側に下部遮光部材が配置されているため、正面から見たり、見下ろした際に上部照明装置を見えないように隠すことができる。したがって、下部照明装置を隠すための下地処理を行う必要がなく、工事を簡略化することができる。また、棚本体を壁面に取り付けるだけで、既存の部屋に簡単に間接照明を設置することができる。
【発明の効果】
【００２２】
以上説明したように、請求項１、及び請求項２に係る間接照明付き収納装置は、扉と扉との間の隙間からの光の漏れを抑制し、意匠性が損なわれないようにすることができる、という優れた効果を有する。
また、請求項３、及び請求項４に係る間接照明装置は、扉と扉との間の隙間からの光の漏れを抑制し、意匠性が損なわれないようにすることができる、という優れた効果を有する。
【図面の簡単な説明】
【００２３】
【図１】本発明の第１の実施形態に係る間接照明付き収納装置を示す縦断面図（図３の１−１線断面図）である。
【図２】本発明の第１の実施形態に係る間接照明付き収納装置を示す平面図である。
【図３】本発明の第１の実施形態に係る間接照明付き収納装置を示す正面図である。
【図４】本発明の第１の実施形態に係る間接照明付き収納装置の上部付近を示す拡大断面図である。
【図５】本発明の第２の実施形態に係る間接照明付き収納装置の上部付近を示す拡大断面図である。
【図６】本発明の第３の実施形態に係る間接照明付き収納装置の上部付近を示す拡大断面図である。
【図７】本発明の第４の実施形態に係る間接照明付き収納装置を示す縦断面図である。
【発明を実施するための形態】
【００２４】
［第１の実施形態］
以下、図１〜４を用いて、本発明の第１の実施形態に係る間接照明付き収納装置１０について説明する。
図１〜３に示すように、間接照明付き収納装置１０は、住宅等の建築物の壁面１２に取り付けて用いられるものであり、天板１４、底板１６、天板１４及び底板１６の幅方向両側に設けられた一対の側板１８と、壁面１２側に設けられた裏板２０とを備えた前面側（壁面１２とは反対側）が開口した箱状の棚本体２１を備えている。
本実施形態の棚本体２１においては、側板１８、及び裏板２０の上端が天板１４の上面よりも上方に突出しており、側板１８、及び裏板２０の下端が底板１６の下面よりも下方に突出している。
【００２５】
棚本体２１の内部には、内部空間を幅方向に複数に区画する仕切壁２２、及び仕切壁２４が設けられている。仕切壁２２の両面、仕切壁２４の両面、側板１８の内面には、棚板２６を載せるダボ２８を挿入する複数のダボ孔３０が上下方向に一定の間隔を開けて形成されている。
【００２６】
棚本体２１の正面視で図面右側の側板１８には、蝶番３２を介して横開き扉３４が開閉可能に取り付けられている。
仕切壁２２の図面右側面には、蝶番３２を介して横開き扉３６が開閉可能に取り付けられている。
なお、横開き扉３４と横開き扉３６とで、両開き扉が構成されている。
【００２７】
仕切壁２２の図面左側面には、蝶番３２を介して横開き扉３８が開閉可能に取り付けられている。
仕切壁２４の図面右側面には、蝶番３２を介して横開き扉４０が開閉可能に取り付けられている。
なお、横開き扉３８と横開き扉４０とで、両開き扉が構成されている。
【００２８】
また、図面左側の側板１８には、蝶番３２を介して横開き扉４２が開閉可能に取り付けられている。横開き扉４２は、片開き扉である。
【００２９】
横開き扉３４と横開き扉３６との間、横開き扉３６と横開き扉３８との間、横開き扉３８と横開き扉４０との間、及び横開き扉４０と横開き扉４２との間には、扉同士が擦れないように、若干の隙間が設けられている。
【００３０】
天板１４の上面には、壁面１２側に、光源としての上部照明装置４４が設けられている。上部照明装置４４は、棚本体２１の幅方向に沿って延びている。上部照明装置４４としては、例えば、直管型の蛍光灯、ライン状の有機ＥＬ、複数の電球またはＬＥＤ等の点光源を直線状に並べた、所謂ライン照明を用いることができる。
【００３１】
前述した横開き扉３４、横開き扉３６、横開き扉３８、横開き扉４０、及び横開き扉４２の各上端部は、天板１４の上面よりも上方に突出している。
上部照明装置４４は、壁面１２、及び天井４６に向けて光を照射（一例として矢印方向）し、これにより部屋内を間接的に照明することができる。
【００３２】
天板１４の上面には、扉側に上部遮光部材４８が設けられている。本実施形態の上部遮光部材４８は、断面矩形の長尺状の板材等で形成されている。上部遮光部材４８は、天板１４の幅方向に配置され、天板１４の幅方向の一端から他端まで延びている。上部遮光部材４８の棚前側の側面は、天板１４の棚前側の端面（木口、または小口ともいう）と面一に配置されている。
【００３３】
上部遮光部材４８の下端には突起５０が取り付けられており、この突起５０が天板１４の上面に形成された孔５２に挿入されている。また、上部遮光部材４８は天板１４に接着剤等で固定されている。
【００３４】
図４に示すように、上部遮光部材４８の天板１４の上面からの高さ寸法Ｈ１は、上部照明装置４４の高さ寸法ｈ１よりも大きく設定されている。なお、天板１４の上面から鉛直方向に計測する横開き扉３４〜４２の上端の高さ位置、及び側板１８の上端の高さ位置は、それぞれ上部遮光部材４８の上端の高さ位置と一致している。
【００３５】
底板１６の下面には、壁面１２側に、天板１４の上部照明装置４４と同一仕様の下部照明装置５４が設けられている。下部照明装置５４は、壁面１２、及び床面５５に向けて光を照射（一例として矢印方向）し、これにより部屋内を間接的に照明することができる。
【００３６】
底板１６の下面には、天板１４と同様に、扉側に下部遮光部材５６が設けられている。下部遮光部材５６は、天板１４に取り付けた上部遮光部材４８と同一仕様のものが用いられており、天板１４の上部遮光部材４８と同様の方法で底板１６に取り付けられている。
【００３７】
なお、図示は省略するが、下部遮光部材５６の高さ寸法は、下部照明装置５４の高さ寸法よりも大きく設定されている。また、下部遮光部材５６の底板１６の下面からの高さ寸法は、下部照明装置５４の高さ寸法よりも大きく設定されている。なお、底板１６の下面から鉛直方向に計測する横開き扉３４〜４２の下端の高さ位置、及び側板１８の下端の高さ位置は、それぞれ下部遮光部材５６の下端の高さ位置と一致している。
【００３８】
（作用、効果）
次に、本実施形態の間接照明付き収納装置１０の作用、効果を説明する。
横開き扉３４〜４２を閉めていても、横開き扉３４と横開き扉３６との間、横開き扉３６と横開き扉３８との間、横開き扉３８と横開き扉４０との間、及び横開き扉４０と横開き扉４２との間には、扉同士が擦れないように、若干の隙間が設けられているため、仮に、上部遮光部材４８、及び下部遮光部材５６が設けられていない場合、上記隙間から上部照明装置４４から出射した光、及び下部照明装置５４から出射した光が棚前面側（矢印Ｆ方向）へ漏れ出でてしまう場合があるが、本実施形態の間接照明付き収納装置１０では、上部遮光部材４８、及び下部遮光部材５６が、隙間を塞ぐように閉じた横開き扉３４〜４２の裏側（照明装置側）に配置されているので、該隙間から上部照明装置４４から出射した光、及び下部照明装置５４から出射した光が棚前面側へ漏れ出ることが抑制される。
【００３９】
また、上部遮光部材４８、及び下部遮光部材５６が、上部照明装置４４、及び下部照明装置５４の棚前面側に配置されているので、横開き扉３４〜４２を開けた場合においても、棚前面側から上部照明装置４４、及び下部照明装置５４が直接見えてしまうことが抑制され、
【００４０】
なお、本実施形態の間接照明付き収納装置１０には、裏板２０が設けられていたが、裏板２０は設けられていなくてもよい。
【００４１】
本実施形態の間接照明付き収納装置１０の具体例としては、一例として、靴を収納するシューズボックス、衣類を収納するクローゼット、戸棚、キッチン収納等を上げることができる。
【００４２】
［第２の実施形態］
以下、図５を用いて、本発明の第２の実施形態に係る間接照明付き収納装置１０について説明する。なお、第１の実施形態と同一仕様には同一符号を付し、その説明は省略する。
【００４３】
図５に示すように、天板１４に取り付けられた本実施形態の上部遮光部材４８は、第１の実施形態の上部遮光部材４８とは異なり、断面Ｌ字形状のアングルで構成されている。本実施形態の上部遮光部材４８は、接着剤、又はネジによって天板１４に固定することができる。なお、図示は省略するが、下部遮光部材５６にも断面Ｌ字形状のアングルを用いることができる。
【００４４】
本実施形態においても、第１の実施形態と同様に、横開き扉３４〜４２の隙間から上部照明装置４４から出射した光、及び下部照明装置５４から出射した光が漏れ出ることが抑制され、上部照明装置４４、及び下部照明装置５４が直接見えてしまうことも抑制される。
【００４５】
［第３の実施形態］
以下、図６を用いて、本発明の第３の実施形態に係る間接照明付き収納装置１０について説明する。なお、第１の実施形態と同一仕様には同一符号を付し、その説明は省略する。
【００４６】
図６に示すように、本実施形態の間接照明付き収納装置１０では、天板１４の棚前面側の端面（木口）、及び上部遮光部材４８の棚前面側の側面を覆う、薄い化粧板（木口テープ等）６０が貼り付けられている。なお、図示はしないが、同様にして、底板１６、及び下部遮光部材５６にも化粧板６０が貼り付けられており、側板１８の棚前面側の端面（木口）にも化粧板６０が貼り付けられている。
【００４７】
これにより、天板１４の端面、上部遮光部材４８の側面、底板１６の端面、下部遮光部材５６の側面、及び継ぎ目が化粧板６０で隠されることになり、横開き扉３４〜４２を開けた時の意匠性を向上することができる。
【００４８】
［第４の実施形態］
以下、図７を用いて、本発明の第４の実施形態に係る間接照明付き収納装置１０について説明する。なお、第１の実施形態と同一仕様には同一符号を付し、その説明は省略する。
【００４９】
本実施形態の間接照明付き収納装置６２は、前述した実施形態の間接照明付き収納装置１０に比較して上下方向の寸法が短いものであり、下部照明装置５４のみが設けられているものである。
【００５０】
［その他の実施形態］
なお、本発明について実施形態の一例を説明したが、本発明はかかる実施形態に限定されるものではなく、本発明の範囲内にて他の種々の実施形態が可能である。
第１の実施形態、及び第２の実施形態の間接照明付き収納装置１０では、棚本体２１に上部照明装置４４と下部照明装置５４が設けられていたが、棚本体２１には上部照明装置４４、及び下部照明装置５４の何れか一方のみが設けられていてもよい。
【符号の説明】
【００５１】
１０    間接照明付き収納装置（間接照明装置）
１４    天板
１６    底板
１８    側板
２１    棚本体
３４    扉
３６    扉
３８    扉
４０    扉
４２    扉
４４    上部照明装置
４８    上部遮光部材
５４    下部照明装置
５６    下部遮光部材
【図１】
2018082976.tif 000003
【図２】
2018082976.tif 000004
【図３】
2018082976.tif 000005
【図４】
2018082976.tif 000006
【図５】
2018082976.tif 000007
【図６】
2018082976.tif 000008
【図７】
2018082976.tif 000009